(57)【要約】      （修正有）【課題】圧縮機を断熱する断熱部材を備えて暖房運転と冷房運転を行う空気調和装置において、暖房能力を低下させることなく、断熱部材に起因する冷房能力の低下を抑制する。【解決手段】圧縮機２６の周囲を囲う断熱部材２５を移動させるための移動機構３５を設ける。移動機構３５は、断熱部材２５を圧縮機２６側に付勢する付勢手段３９と、所定の変化温度以上になると所定の記憶形状に戻るように構成された形状記憶部材３８とを備え、形状記憶部材３８の温度が変化温度以上になると形状記憶部材３８が記憶形状に戻るのに伴って断熱部材２５を第１の位置から第２の位置へ移動させ、形状記憶部材３８の温度が変化温度を下回ると付勢手段３９が断熱部材２５を第２の位置から第１の位置へ移動させるように構成する。【選択図】図２
2009074711.tif 000002
【特許請求の範囲】
【請求項１】
モータの回転に伴って冷媒を圧縮する圧縮機（26）と、該圧縮機（26）の周囲を囲うように設けられた断熱部材（25）とを有する室外ユニット（42）を備え、
冷房運転と暖房運転とを選択的に実行可能に構成されている空気調和装置であって、
上記圧縮機（26）に当接又は近接する第１の位置と、該第１の位置よりも圧縮機（26）から離れた第２の位置との間で上記断熱部材（25）を移動させる移動機構（35）を備え、
上記移動機構（35）は、上記断熱部材（25）を圧縮機（26）側に付勢する付勢手段（39）と、所定の変化温度以上になると所定の記憶形状に戻るように構成された形状記憶部材（38）とを備え、該形状記憶部材（38）の温度が変化温度以上になると形状記憶部材（38）が記憶形状に戻るのに伴って上記断熱部材（25）を第１の位置から第２の位置へ移動させ、該形状記憶部材（38）の温度が変化温度を下回ると上記付勢手段（39）が上記断熱部材（25）を第２の位置から第１の位置へ移動させるように構成されていることを特徴とする空気調和装置。
【請求項２】
請求項１において、
上記形状記憶部材（38）は、上記断熱部材（25）の外面に接続される一方、
上記断熱部材（25）の外側に配置されて、上記形状記憶部材（38）を介して上記断熱部材（25）を支持する支持部材（30）を備えていることを特徴とする空気調和装置。
【請求項３】
請求項２において、
上記付勢手段（39）は、弾性変形可能な弾性部材により構成され、上記断熱部材（25）の外面と上記支持部材（30）とに接続されていることを特徴とする空気調和装置。
【請求項４】
請求項１乃至３において、
上記断熱部材（25）は、周方向で分断され、上記移動機構（35）によって第１の位置から第２の位置へ移動させられると分断された箇所が広がることを特徴とする空気調和装置。
【請求項５】
請求項１乃至４において、
上記形状記憶部材（38）では、室外空気の温度が１５℃以上２５℃以下の所定の温度以上になると該形状記憶部材（38）が記憶形状に戻るように上記変化温度が決められていることを特徴とする空気調和装置。
【発明の詳細な説明】
【技術分野】
【０００１】
本発明は、圧縮機を断熱する断熱部材を備える空気調和装置に関するものである。
【背景技術】
【０００２】
従来より、圧縮機を断熱する断熱部材を備える空気調和装置が知られている。例えば、特許文献１には、圧縮機全体を覆うように構成された断熱部材を備える空気調和装置が開示されている。この空気調和装置では、断熱部材が予め圧縮機の外形形状に合わせて成形されている。
【特許文献１】特開平８−１９３５９０号公報
【発明の開示】
【発明が解決しようとする課題】
【０００３】
ところで、空気調和装置では、圧縮機を断熱する断熱部材を設けることで、圧縮機の表面からの放熱量が減少するので、圧縮機の吐出冷媒の熱量が増加する。しかし、その反面、圧縮機内の温度が上昇するので、圧縮機のモータの磁石の磁束密度が小さくなってモータのトルクが低下し、圧縮機の運転容量が低下する。
【０００４】
このため、暖房運転と冷房運転を行う従来の空気調和装置では、暖房運転の場合には、圧縮機の運転容量が低下するというデメリット以上に、圧縮機の吐出冷媒の熱量が増加することのメリットの方が大きいので、断熱部材によって暖房能力が向上するが、冷房運転の場合には、圧縮機の吐出冷媒の熱量の増加が冷房能力にそれほど関係しないため、断熱部材によって圧縮機の運転容量が低下して冷房能力が低下する。
【０００５】
本発明は、かかる点に鑑みてなされたものであり、その目的は、圧縮機を断熱する断熱部材を備えて暖房運転と冷房運転を行う空気調和装置において、暖房能力を低下させることなく、断熱部材に起因する冷房能力の低下を抑制することにある。
【課題を解決するための手段】
【０００６】
第１の発明は、モータの回転に伴って冷媒を圧縮する圧縮機（26）と、該圧縮機（26）の周囲を囲うように設けられた断熱部材（25）とを有する室外ユニット（42）を備え、冷房運転と暖房運転とを選択的に実行可能に構成されている空気調和装置を対象とする。そして、この空気調和装置は、上記圧縮機（26）に当接又は近接する第１の位置と、該第１の位置よりも圧縮機（26）から離れた第２の位置との間で上記断熱部材（25）を移動させる移動機構（35）を備え、上記移動機構（35）は、上記断熱部材（25）を圧縮機（26）側に付勢する付勢手段（39）と、所定の変化温度以上になると所定の記憶形状に戻るように構成された形状記憶部材（38）とを備え、該形状記憶部材（38）の温度が変化温度以上になると形状記憶部材（38）が記憶形状に戻るのに伴って上記断熱部材（25）を第１の位置から第２の位置へ移動させ、該形状記憶部材（38）の温度が変化温度を下回ると上記付勢手段（39）が上記断熱部材（25）を第２の位置から第１の位置へ移動させるように構成されている。
【０００７】
第１の発明では、形状記憶部材（38）の温度が変化温度以上になると、形状記憶部材（38）が記憶形状に戻り、それに伴って、形状記憶部材（38）が断熱部材（25）を第１の位置から第２の位置へ移動させる。一方、形状記憶部材（38）の温度が変化温度を下回ると、形状記憶部材（38）は自らの形状を記憶形状に維持しようとはしなくなり、付勢手段（39）が断熱部材（25）を第２の位置から第１の位置へ移動させる。ここで、形状記憶部材（38）は室外ユニット（42）に配置されている。このため、形状記憶部材（38）の温度は室外空気の温度の変化に応じて変化する。従って、室外空気の温度が上昇して形状記憶部材（38）の温度が変化温度以上になる場合、つまり室外空気の温度が比較的高い温度になる場合には、断熱部材（25）は圧縮機（26）から離れた第２の位置に位置する状態になる。一方、室外空気の温度が低下して形状記憶部材（38）の温度が変化温度を下回る場合、つまり室外空気の温度が比較的低い温度になる場合には、断熱部材（25）は圧縮機（26）に近接又は当接する第１の位置に位置する状態になる。
【０００８】
第２の発明は、上記第１の発明において、上記形状記憶部材（38）が、上記断熱部材（25）の外面に接続される一方、上記断熱部材（25）の外側に配置されて、上記形状記憶部材（38）を介して上記断熱部材（25）を支持する支持部材（30）を備えている。
【０００９】
第２の発明では、形状記憶部材（38）が、断熱部材（25）の外面と、断熱部材（25）の外側に配置された支持部材（30）とに接続されている。形状記憶部材（38）は、断熱部材（25）の外側に位置している。
【００１０】
第３の発明は、上記第２の発明において、上記付勢手段（39）が、弾性変形可能な弾性部材により構成され、上記断熱部材（25）の外面と上記支持部材（30）とに接続されている。
【００１１】
第３の発明では、弾性変形可能な弾性部材により構成された付勢手段（39）が、断熱部材（25）の外面と、断熱部材（25）の外側に配置された支持部材（30）とに接続されている。付勢手段（39）は、断熱部材（25）の外側に位置している。また、形状記憶部材（38）も、上述したように、断熱部材（25）の外側に位置している。
【００１２】
第４の発明は、上記第１乃至第３の何れか１つの発明において、上記断熱部材（25）は、周方向で分断され、上記移動機構（35）によって第１の位置から第２の位置へ移動させられると分断された箇所が広がる。
【００１３】
第４の発明では、圧縮機（26）の周囲を囲う断熱部材（25）が、周方向で分断されている。移動機構（35）によって断熱部材（25）が第１の位置から第２の位置へ移動させられると、断熱部材（25）では分断された箇所が広がる。このため、断熱部材（25）が第２の位置にあるときに、断熱部材（25）の外側の空気がその分断箇所を通じて圧縮機（26）の周囲へ導入されやすくなる。
【００１４】
第５の発明は、上記第１乃至第４の何れか１つの発明において、上記形状記憶部材（38）では、室外空気の温度が１５℃以上２５℃以下の所定の温度以上になると該形状記憶部材（38）が記憶形状に戻るように上記変化温度が決められている。
【００１５】
第５の発明では、形状記憶部材（38）の変化温度が、室外空気の温度が１５℃以上２５℃以下の所定の温度のときに想定される形状記憶部材（38）の温度に定められている。このため、室外空気の温度がその所定の温度以上になると、断熱部材（25）が第１の位置から第２の位置へ移動し、その所定の温度を下回ると、断熱部材（25）が第２の位置から第１の位置へ移動する。
【発明の効果】
【００１６】
本発明では、形状記憶部材（38）及び付勢手段（39）によって断熱部材（25）を移動させる移動機構（35）を設けることで、室外空気の温度が比較的高い温度になる場合には、断熱部材（25）が圧縮機（26）から離れた第２の位置に位置して、室外空気の温度が比較的低い温度になる場合には、断熱部材（25）が圧縮機（26）に近接又は当接する第１の位置に位置するようにしている。断熱部材（25）が第２の位置に位置するときには、第１の位置に位置するときに比べて、圧縮機（26）と断熱部材（25）との距離が大きくなるので、圧縮機（26）の表面からの放熱量が増加し、圧縮機（26）内の温度が低下する。そして、圧縮機（26）のモータの温度が低下するので、モータのトルクが増加し、圧縮機（26）の運転容量が増加する。一方、断熱部材（25）が第１の位置に位置するときには、圧縮機（26）の表面からの放熱が抑制される。従って、冷房運転が行われる室外空気の温度が比較的高いときには、モータの温度上昇に起因する圧縮機（26）の運転容量の低下を抑制することができ、暖房運転が行われる室外空気の温度が比較的低いときには、圧縮機（26）からの放熱を抑制することができるので、暖房能力を低下させることなく、断熱部材（25）に起因する冷房能力の低下を抑制することができる。
【００１７】
また、上記第２の発明では、形状記憶部材（38）が断熱部材（25）の外側に位置するようにしている。ここで、形状記憶部材（38）が断熱部材（25）の内側に位置する場合には、形状記憶部材（38）の温度が圧縮機（26）の表面から放出される熱の影響を受けやすい。このため、暖房運転が行われる室外空気の温度が比較的低いときに、圧縮機（26）の表面からの放熱量が多くなると、形状記憶部材（38）の温度が高くなってしまい、断熱部材（25）が第２の位置へ移動して、暖房能力が低下するおそれがある。これに対して、この第２の発明では、形状記憶部材（38）が断熱部材（25）の外側に位置しているので、形状記憶部材（38）の温度が、圧縮機（26）の表面から放出される熱の影響を受けにくい。このため、暖房運転が行われる室外空気の温度が比較的低いときに、圧縮機（26）の表面からの放熱量が多くなっても、形状記憶部材（38）の温度はそれほど高くならない。従って、暖房運転の際に、断熱部材（25）が第２の位置へ移動することなく、断熱部材（25）によって圧縮機（26）を確実に断熱することができる。
【００１８】
また、上記第３の発明では、付勢手段（39）及び形状記憶部材（38）が断熱部材（25）の外側に位置するようにしている。ここで、付勢手段（39）や形状記憶部材（38）が断熱部材（25）の内側に位置する場合には、付勢手段（39）や形状記憶部材（38）によって断熱部材（25）と圧縮機（26）との間に隙間ができてしまう。このため、断熱部材（25）が第１の位置にあるときの圧縮機（26）の表面からの放熱量が比較的多くなる。これに対して、この第３の発明では、付勢手段（39）及び形状記憶部材（38）が断熱部材（25）の外側に位置しているので、断熱部材（25）と圧縮機（26）の表面との距離を小さくなるように第１の位置を設定することができ、断熱部材（25）が第１の位置にあるときの圧縮機（26）の表面からの放熱量を少なくすることができる。従って、断熱部材（25）が第１の位置にあるときの暖房運転における暖房能力を向上させることができる。
【００１９】
また、上記第４の発明では、断熱部材（25）が第１の位置から第２の位置へ移動させられると広がる分断箇所を断熱部材（25）に設けることで、断熱部材（25）が第２の位置にあるときに断熱部材（25）の外側の空気がより多く圧縮機（26）の周囲へ導入されるようにしている。従って、断熱部材（25）が第２の位置にあるときの圧縮機（26）の周囲の空気の温度を低下させることができるので、そのときの圧縮機（26）内の温度が低下させ、冷房能力の低下を抑制することができる。
【発明を実施するための最良の形態】
【００２０】
以下、本発明の実施形態を図面に基づいて詳細に説明する。
【００２１】
本実施形態は、本発明に係る空気調和装置（20）である。本実施形態の空気調和装置（20）は、図１に示すように、室外ユニット（42）と、複数台の室内ユニット（40a,40b,…）とを備えている。室外ユニット（42）は室外に設置され、各室内ユニット（40）は室内の天井等に設置されている。この空気調和装置（20）は、冷媒が充填された冷媒回路（10）を備えている。
【００２２】
〈冷媒回路の構成〉
冷媒回路（10）は、室外ユニット（42）に収容された室外回路（14）と、各室内ユニット（40a,40b,…）に収容された室内回路（11a,11b,…）とを備えている。室内回路（11a,11b,…）は、液側連絡配管（15）及びガス側連絡配管（16）によって、室外回路（14）に対して並列に接続されている。冷媒回路（10）では、冷媒を循環させることによって蒸気圧縮冷凍サイクルが行われる。
【００２３】
室外回路（14）には、圧縮機（26）、アキュームレータ（31）、室外熱交換器（44）、室外膨張弁（36）、及び四路切換弁（24）が接続されている。
【００２４】
圧縮機（26）は、高圧ドーム型の圧縮機（26）として構成されている。圧縮機（26）の吐出側は、吐出管（21）を介して四路切換弁（24）の第１ポート（P1）に接続されている。圧縮機（26）の吸入側は、吸入管（22）を介してアキュームレータ（31）の底面に接続されている。
【００２５】
アキュームレータ（31）は、密閉容器状に構成されている。アキュームレータ（31）は、圧縮機（26）に近接して配置されている。アキュームレータ（31）の上面には、接続配管（23）の一端が接続されている。接続配管（23）の他端は、四路切換弁（24）の第３ポート（P3）に接続されている。
【００２６】
室外熱交換器（44）は、クロスフィン式のフィン・アンド・チューブ型熱交換器によって構成されている。室外熱交換器（44）の近傍には、室外熱交換器（44）に室外空気を送る室外ファン（12）が設置されている。室外熱交換器（44）では、室外空気と冷媒との間で熱交換が行われる。室外熱交換器（44）の一端は、四路切換弁（24）の第２ポート（P2）に接続されている。室外熱交換器（44）の他端は、開度可変の室外膨張弁（36）を介して液側閉鎖弁（17）に接続されている。また、四路切換弁（24）の第４ポート（P4）はガス側閉鎖弁（18）に接続されている。
【００２７】
四路切換弁（24）は、第１ポート（P1）と第２ポート（P2）が互いに連通して第３ポート（P3）と第４ポート（P4）が互いに連通する第１状態（図１に実線で示す状態）と、第１ポート（P1）と第４ポート（P4）が互いに連通して第２ポート（P2）と第３ポート（P3）が互いに連通する第２状態（図１に破線で示す状態）とが切り換え自在になっている。
【００２８】
各室内回路（11a,11b,…）は、ガス側から順に室内熱交換器（41a,41b,…）と室内膨張弁（45a,45b,…）とが設けられている。
【００２９】
室内熱交換器（41）は、クロスフィン式のフィン・アンド・チューブ型熱交換器によって構成されている。室内熱交換器（41）の近傍には、室内熱交換器（41）に室内空気を送るための室内ファン（13）が設けられている。室内熱交換器（41）では、室内空気と冷媒との間で熱交換が行われる。室内膨張弁（45）は開度可変に構成されている。
【００３０】
この空気調和装置（20）では、空調運転として暖房運転と冷房運転とが選択的に行われる。冷房運転時には、四路切換弁（24）が第１状態に設定される。冷房運転中の冷媒回路（10）では、室外熱交換器（44）が凝縮器（放熱器）として動作し、各室内熱交換器（41）が蒸発器として動作することによって、蒸気圧縮冷凍サイクルが行われる。一方、暖房運転時には、四路切換弁（24）が第２状態に設定される。暖房運転中の冷媒回路（10）では、各室内熱交換器（41）が凝縮器（放熱器）として動作し、室外熱交換器（44）が蒸発器として動作することによって、蒸気圧縮冷凍サイクルが行われる。
【００３１】
−断熱部材及び移動機構の構成−
この実施形態の空気調和装置（20）では、室外ユニット（42）内に、圧縮機（26）を断熱する断熱部材（25）と、断熱部材（25）を移動させるための移動機構（35）が設けられている。また、室外ユニット（42）内には、断熱部材（25）を支持するための支持部材（30）が設けられている。なお、以下では、断熱部材（25）及び移動機構（35）について説明する前に、まず圧縮機（26）及び支持部材（30）の構成について説明する。
【００３２】
圧縮機（26）は、図２に示すように、密閉容器状のケーシング（28）を備えている。ケーシング（28）は、両端が閉塞された円筒状に形成されている。ケーシング（28）の底面には防振ゴムが設けられている（図示省略）。ケーシング（28）には、冷媒を圧縮する圧縮機構と、圧縮機構を駆動するモータとが収容されている。圧縮機（26）では、モータの回転に伴って圧縮機構で冷媒が圧縮される。
【００３３】
圧縮機（26）では、ケーシング（28）の上面に吐出管（21）が接続され、ケーシング（28）の側面の下寄りの位置に吸入管（22）が接続されている。吸入管（22）は、水平方向に延びてから上側に垂直に折れ曲がって、アキュームレータ（31）の底面に接続されている（図示省略）。
【００３４】
続いて、支持部材（30）について説明する。支持部材（30）は、図２及び図３に示すように、略円筒状に形成されている。支持部材（30）の直径は、圧縮機（26）の直径よりも大きくなっている。支持部材（30）の高さは、圧縮機（26）の高さと概ね等しくなっている。支持部材（30）は、空気が通過することができるように、例えば格子状の部材を筒状にしている。支持部材（30）は、例えば柱状部材（30a）とリング状部材（30b）を接合することによって構成されている。支持部材（30）は、圧縮機（26）の周囲を囲うように、圧縮機（26）のケーシング（28）に対して同軸に配置されている。支持部材（30）は、後述する断熱部材（25）の外側に配置されている。
【００３５】
続いて、断熱部材（25）について説明する。断熱部材（25）は、図２及び図３に示すように、第１断熱パネル（32）と第２断熱パネル（33）から構成されている。第１断熱パネル（32）と第２断熱パネル（33）とは、共に真空断熱材によって構成されている。第１断熱パネル（32）と第２断熱パネル（33）とは、円筒を半分に分割したものと同じ形状をしている。つまり、第１断熱パネル（32）と第２断熱パネル（33）とは、断面形状が半円状に形成されている。第１断熱パネル（32）と第２断熱パネル（33）とは、同じ大きさで同じ形状をしている。断熱部材（25）では、第１断熱パネル（32）と第２断熱パネル（33）とを組み合わせた形状が円筒状になる。円筒状の断熱部材（25）は、周方向の２箇所で分断されている。
【００３６】
円筒状になった状態の断熱部材（25）の内径は、圧縮機（26）のケーシング（28）の外径と概ね等しくなっている。また、断熱部材（25）の高さは、圧縮機（26）のケーシング（28）の高さと概ね等しくなっている。また、断熱部材（25）では、第１断熱パネル（32）と第２断熱パネル（33）との分断箇所のうちの一方に、吸入管（22）を嵌め込むための半円状の切り欠き（34）が形成されている。
【００３７】
断熱部材（25）は、圧縮機（26）の周囲を囲うように設けられている。この状態では、第１断熱パネル（32）と第２断熱パネル（33）とが、圧縮機（26）を挟んで対面している。第１断熱パネル（32）と第２断熱パネル（33）とは、後述する移動機構（35）を介して支持部材（30）に支持されている。なお、断熱部材（25）は、圧縮機（26）に当接する状態のときに、第１断熱パネル（32）と第２断熱パネル（33）とのそれぞれの半円状の切り欠き（34）に吸入管（22）が嵌り込むように設けられている。
【００３８】
移動機構（35）は、図２に示すように、一対の形状記憶部材（38）及び弾性部材（39）を複数組備えている。形状記憶部材（38）は、形状記憶合金ばねにより構成されている。形状記憶部材（38）には、所定の記憶形状に回復する変化温度（変態温度）が例えば２０℃の形状記憶合金ばねが使用されている。つまり、形状記憶部材（38）は、温度が変化温度（例えば２０℃）以上になると記憶形状に戻るように構成されている。一方、弾性部材（39）は、コイルばねにより構成されている。弾性部材（39）は、対になっている形状記憶部材（38）に並んで配置されている。
【００３９】
この実施形態では、室外空気の温度が１５℃以上２５℃以下の温度範囲における所定の温度以上になると形状記憶部材（38）が記憶形状に戻るように、変化温度が決められている。変化温度は、この所定の温度のときの形状記憶部材（38）の温度を想定して決められている。なお、室外空気の温度範囲である１５℃以上２５℃以下の範囲は、下限の１５℃が、ＪＩＳ規格においてルームエアコンの期間消費効率を算出する際の暖房運転時の室外空気の上限温度である１７℃を基準に、上限の２５℃が、ＪＩＳ規格においてルームエアコンの期間消費効率を算出する際の冷房運転時の室外空気の下限温度である２４℃を基準に設定されている。
【００４０】
一対の形状記憶部材（38）及び弾性部材（39）は、第１断熱パネル（32）及び第２断熱パネル（33）のそれぞれに対して、複数組（例えば６組）ずつ設けられている。形状記憶部材（38）及び弾性部材（39）の一端は、第１断熱パネル（32）の外面又は第２断熱パネル（33）の外面に接続されている。形状記憶部材（38）及び弾性部材（39）の他端は、支持部材（30）の内側部分に接続されている。形状記憶部材（38）及び弾性部材（39）は、共に支持部材（30）の径方向に沿うように、断熱部材（25）と支持部材（30）とに接続されている。
【００４１】
ここで、力が作用しないときの弾性部材（39）の長さ（自然長）は、圧縮機（26）に当接する状態の断熱部材（25）の外面から支持部材（30）までの距離よりも長くなっている。つまり、弾性部材（39）は、常に縮められた状態になっており、断熱部材（25）を圧縮機（26）側に付勢している。弾性部材（39）は付勢手段（39）を構成している。一方、記憶形状のときの形状記憶部材（38）の長さは、圧縮機（26）に当接する状態の断熱部材（25）の外面から支持部材（30）までの距離よりも短くなっている。また、形状記憶部材（38）が記憶形状に戻るときの力は、弾性部材（39）が記憶形状のときの形状記憶部材（38）の長さに縮んだ状態の付勢力よりも大きくなっている。
【００４２】
以上の構成により、本実施形態の空気調和装置（20）では、室外空気の温度に応じて、断熱部材（25）が、圧縮機（26）に当接する第１の位置と、その第１の位置よりも圧縮機（26）から離れた第２の位置との間を移動する。断熱部材（25）は、移動機構（35）によって自動的に移動させられる。
【００４３】
具体的に、室外空気の温度の上昇に伴って室外ユニット（42）内の温度が上昇して、形状記憶部材（38）の温度が変化温度以上になると、形状記憶部材（38）が記憶形状に戻る。その際、弾性部材（39）が形状記憶部材（38）によって縮められると共に、断熱部材（25）が形状記憶部材（38）によって第１の位置から第２の位置へ移動させられる。つまり、冷房運転が行われるような室外空気の温度が比較的高いときには、図４（Ａ）に示すように、断熱部材（25）は第２の位置に位置する状態になる。
【００４４】
断熱部材（25）が第２の位置に位置するときには、断熱部材（25）が第１の位置に位置するときに比べて、圧縮機（26）と断熱部材（25）の内面との距離が大きくなるので、圧縮機（26）の周囲の空気の温度が低くなる。なお、この実施形態では、移動機構（35）によって断熱部材（25）が第２の位置へ移動させられると、断熱部材（25）の分断箇所が広がるので、断熱部材（25）の外側の空気が分断箇所を通じて圧縮機（26）の周囲へ導入されやすくなっている。従って、圧縮機（26）の周囲の空気の温度をより大きく低下させることができる。
【００４５】
このように、断熱部材（25）が第１の位置に位置するときに比べて、圧縮機（26）の周囲の空気の温度が低くなると、圧縮機（26）の表面からの放熱量が増加し、圧縮機（26）内の温度が低下する。そして、圧縮機（26）のモータの温度が低下するので、モータのトルクが増加し、圧縮機（26）の運転容量が増加する。
【００４６】
一方、室外空気の温度の低下に伴って室外ユニット（42）内の温度が低下して、形状記憶部材（38）の温度が変化温度を下回ると、形状記憶部材（38）は自らの形状を記憶形状に維持しようとはしなくなるので、弾性部材（39）が形状記憶部材（38）を伸ばしながら断熱部材（25）を第２の位置から第１の位置へ移動させる。つまり、暖房運転が行われるような室外空気の温度が比較的低いときには、図４（Ｂ）に示すように、断熱部材（25）は第１の位置に位置する状態になる。このように、室外空気の温度が比較的低いときには、断熱部材（25）が第１の位置に位置して圧縮機（26）に当接するので、圧縮機（26）の表面からの放熱が抑制される。
【００４７】
−実施形態の効果−
本実施形態では、形状記憶部材（38）及び弾性部材（39）によって断熱部材（25）を移動させる移動機構（35）を設けることで、室外空気の温度が比較的高い温度になる場合には、断熱部材（25）が圧縮機（26）から離れた第２の位置に位置して、室外空気の温度が比較的低い温度になる場合には、断熱部材（25）が圧縮機（26）に当接する第１の位置に位置するようにしている。断熱部材（25）が第２の位置に位置するときには、第１の位置に位置するときに比べて、圧縮機（26）と断熱部材（25）との距離が大きくなるので、圧縮機（26）の表面からの放熱量が増加し、圧縮機（26）内の温度が低下する。そして、圧縮機（26）のモータの温度が低下するので、モータのトルクが増加し、圧縮機（26）の運転容量が増加する。一方、断熱部材（25）が第１の位置に位置するときには、圧縮機（26）の表面からの放熱が抑制される。従って、冷房運転が行われる室外空気の温度が比較的高いときには、モータの温度上昇に起因する圧縮機（26）の運転容量の低下を抑制することができ、暖房運転が行われる室外空気の温度が比較的低いときには、圧縮機（26）からの放熱を抑制することができるので、暖房能力を低下させることなく、断熱部材（25）に起因する冷房能力の低下を抑制することができる。
【００４８】
なお、弾性部材（39）に起因する圧縮機（26）の運転容量の低下は、圧縮機（26）に最大運転容量が大きいものを使用する場合ほど大きい。このため、家庭用のルームエアコンのように室内ユニット（40）が１台の空気調和装置（20）では、弾性部材（39）に起因する圧縮機（26）の運転容量の低下はそれほど問題にはならない。しかし、本実施形態のように複数の室内ユニット（40）が設けられたマルチ型の空気調和装置（20）の場合には、圧縮機（26）に最大運転容量が比較的大きなものを使用するので、弾性部材（39）が圧縮機（26）の運転容量に与える影響が大きい。従って、本実施形態のようにマルチ型の空気調和装置（20）に対して移動機構（35）を設けることで、断熱部材（25）に起因する冷房能力の低下を大きく抑制することができる。
【００４９】
また、本実施形態では、形状記憶部材（38）が断熱部材（25）の外側に位置するようにしている。ここで、形状記憶部材（38）が断熱部材（25）の内側に位置する場合には、形状記憶部材（38）の温度が圧縮機（26）の表面から放出される熱の影響を受けやすい。このため、暖房運転が行われる室外空気の温度が比較的低いときに、圧縮機（26）の表面からの放熱量が多くなると、形状記憶部材（38）の温度が高くなってしまい、断熱部材（25）が第２の位置へ移動して、暖房能力が低下するおそれがある。これに対して、この本実施形態では、形状記憶部材（38）が断熱部材（25）の外側に位置しているので、形状記憶部材（38）の温度が、圧縮機（26）の表面から放出される熱の影響を受けにくい。このため、暖房運転が行われる室外空気の温度が比較的低いときに、圧縮機（26）の表面からの放熱量が多くなっても、形状記憶部材（38）の温度はそれほど高くならない。従って、暖房運転の際に、断熱部材（25）が第２の位置へ移動することなく、断熱部材（25）によって圧縮機（26）を確実に断熱することができる。
【００５０】
また、本実施形態では、弾性部材（39）及び形状記憶部材（38）が断熱部材（25）の外側に位置するようにしている。ここで、弾性部材（39）や形状記憶部材（38）が断熱部材（25）の内側に位置する場合には、弾性部材（39）や形状記憶部材（38）によって断熱部材（25）と圧縮機（26）との間に隙間ができてしまう。このため、断熱部材（25）が第１の位置にあるときの圧縮機（26）の表面からの放熱量が比較的多くなる。これに対して、本実施形態では、弾性部材（39）及び形状記憶部材（38）が断熱部材（25）の外側に位置しているので、断熱部材（25）が圧縮機（26）の表面に当接するように第１の位置を設定することができ、断熱部材（25）が第１の位置にあるときの圧縮機（26）の表面からの放熱量を少なくすることができる。従って、断熱部材（25）が第１の位置にあるときの暖房運転における暖房能力を向上させることができる。
【００５１】
また、本実施形態では、断熱部材（25）が第１の位置から第２の位置へ移動させられると広がる分断箇所を断熱部材（25）に設けることで、断熱部材（25）が第２の位置にあるときに断熱部材（25）の外側の空気がより多く圧縮機（26）の周囲へ導入されるようにしている。従って、断熱部材（25）が第２の位置にあるときの圧縮機（26）の周囲の空気の温度を低下させることができるので、そのときの圧縮機（26）内の温度が低下させ、冷房能力の低下を抑制することができる。
【００５２】
《その他の実施形態》
上記実施形態については、以下のような構成としてもよい。
【００５３】
上記実施形態について、断熱部材（25）の周方向の分断箇所が１箇所であってもよい。つまり、断熱部材（25）が断面視においてＣ型形状であってもよい。
【００５４】
また、上記実施形態について、断熱部材（25）の周方向の分断箇所が３箇所以上であってもよい。つまり、断熱部材（25）は、３つ以上の断熱パネルから構成されていてもよい。
【００５５】
また、上記実施形態について、形状記憶部材（38）は形状記憶樹脂であってもよい。
【００５６】
また、上記実施形態について、断熱部材（25）が真空断熱材以外の断熱材（例えばウレタン）から構成されていてもよい。
【００５７】
なお、以上の実施形態は、本質的に好ましい例示であって、本発明、その適用物、あるいはその用途の範囲を制限することを意図するものではない。
【産業上の利用可能性】
【００５８】
以上説明したように、本発明は、圧縮機を断熱する断熱部材を備える空気調和装置について有用である。
【図面の簡単な説明】
【００５９】
【図１】本発明の実施形態に係る空気調和装置の概略構成図である。
【図２】本発明の実施形態に係る圧縮機及び断熱部材の斜視図である。
【図３】本発明の実施形態に係る圧縮機及び断熱部材の上面図である。
【図４】本発明の実施形態の断熱部材の縦断面図であり、（Ａ）は第１の位置にあるときの断面図であり、（Ｂ）は第２の位置にあるときの断面図である。
【符号の説明】
【００６０】
２０    空気調和装置
２５    断熱部材
２６    圧縮機
３０    支持部材
３５    移動機構
３８    形状記憶部材
３９    弾性部材（付勢手段）
４２    室外ユニット
【図１】
2009074711.tif 000003
【図２】
2009074711.tif 000004
【図３】
2009074711.tif 000005
【図４】
2009074711.tif 000006